(57)【要約】      （修正有）【課題】より保守点検作業を容易とできるエレベータの操作盤装置を提供する。【解決手段】かごの室壁１と、室壁に形成された開口穴３ａと、開口穴に嵌め込まれ表板５ｂに操作手段及び内部に操作盤内蔵機器を備えたケース５ａと、ケースを支持し開口穴から引出し且つ角度を変化させることができる引出し回動手段とを備え  引出し回動手段は、開口穴上下とケース上下をそれぞれ回動可能に連結する上下一対のリンク９であることを特徴とするエレベータの操作盤装置。【選択図】図３
2007284228.tif 000002
【特許請求の範囲】
【請求項１】
かごの室壁と、
前記室壁に形成された開口穴と、
前記開口穴に嵌め込まれ表板に操作手段及び内部に操作盤内蔵機器を備えたケースと、
前記ケースを支持し前記開口穴から引出し且つ角度を変化させることができる引出し回動手段と、
を備えたことを特徴とするエレベータの操作盤装置。
【請求項２】
引出し回動手段は、開口穴上下とケース上下をそれぞれ回動可能に連結する上下一対のリンクであることを特徴とする請求項１記載のエレベータの操作盤装置。
【請求項３】
上下一対のリンクは少なくとも二段からなり、互いが回動自在に連結されていることを特徴とする請求項２記載のエレベータの操作盤装置。
【請求項４】
上下一対のリンクは上下を一体的に繋がれたコ字状であることを特徴とする請求項２または請求項３記載のエレベータの操作盤装置。
【請求項５】
操作盤内蔵機器はケースの表板裏面に設けられ、前記ケースの裏面側を開閉及びロック自在とし、前記ケースを引出し回動させたとき前記ケース裏面を開放して前記操作盤内蔵機器をチェックをできるようにしたことを特徴とする請求項１〜請求項４いずれかに記載のエレベータの操作盤装置。
【請求項６】
ケース表板を開閉及びロック自在としたことを特徴とする請求項１〜請求項５いずれかに記載のエレベータの操作盤装置。
【請求項７】
ケースを開口穴にロック及びロック解除をするロック装置を備えたことを特徴とする請求項１〜請求項６いずれかに記載のエレベータの操作盤装置。
【請求項８】
ロック装置は、ケースに設けられた複数の咥え板と、該咥え板に形成され開口穴の縁を咥えた咥え溝と、前記咥え板の上下を繋ぐ連結軸と、前記咥え板の左右を繋ぐ連結棒と、前記連結軸に設けられた回転板と、キー軸と、該キー軸に設けられ前記回転板に当接したレバーと、前記キー軸に設けられたキー装置と、該キー装置に形成されてケース表板外側に位置するキー穴と、該キー穴に適合するキーと、を備え、
前記キー穴に前記キーを差込み回転させることによって前記咥え板が全て同時に回動して開口穴の縁から外れロック解除ができるようにしたことを特徴とする請求項７記載のエレベータの操作盤装置。
【発明の詳細な説明】
【技術分野】
【０００１】
この発明は、保守点検作業を容易とできるエレベータの操作盤装置に関する。
【背景技術】
【０００２】
従来のエレベータの操作盤装置においては、ケースをかご室袖壁の開口穴の側面の縦補強にボルト固定して表板を化粧ネジでケースのネジ穴付きの金具に止めたものがある。点検の場合は表板の化粧ネジを外し表板を外して内部を点検する。（例えば、特許文献１参照）。
また操作盤の表板を鍵で外し開閉できるようにしたものがある（例えば、特許文献２）。また操作盤取付部分の袖壁を操作盤の表板と兼用して操作盤のケースは固定して袖壁兼用の表板のみ開閉方式としたものがある（例えば、特許文献３）。
【０００３】
【特許文献１】特開昭６１−２９１３８５号公報
【特許文献２】特開２００３−１６０２８８号公報
【特許文献３】実開昭６０−１６５３５５号公報
【発明の開示】
【発明が解決しようとする課題】
【０００４】
特許文献１のものにおいては、表板とケース内の機器と配線で繋げられているため一人が表板を支えなければならないという問題がある。また配線を長くすると配線を内部機器の隙間に納め難いという問題がある。
特許文献２及び特許文献３のものにおいては、袖壁を開閉することから表板を支えることからは解放されるが、操作盤が袖壁に配置されている関係から、かご室前部コーナーに位置するためスペースが狭く複数の作業者が同時に保守点検作業ができないといった問題がある。また操作盤内部の機器はかご内からしから点検できないため背面に隠れる部分の点検が難しいという問題があった。
【０００５】
この発明は、上述のような課題を解決するためになされたもので、より保守点検作業を容易とできるエレベータの操作盤装置を提供するものである。
【課題を解決するための手段】
【０００６】
この発明に係るエレベータの操作盤装置においては、かごの室壁と、室壁に形成された開口穴と、開口穴に嵌め込まれ表板に操作手段及び内部に操作盤内蔵機器を備えたケースと、ケースを支持し開口穴から引出し且つ角度を変化させることができる引出し手段とを備えたものである。
【発明の効果】
【０００７】
この発明により、より保守点検作業を容易とすることができる。
【発明を実施するための最良の形態】
【０００８】
実施の形態１． 
図1はこの発明の実施の形態1における操作盤装置を有するエレベータのかご室内の要部を示す斜視図、図２は実施の形態１における操作盤装置の周辺を示す斜視図、図３は実施の形態１における操作盤装置が引出された様子を示す斜視図、図４は実施の形態１における操作盤装置のリンク機構の部品構成を示す斜視図、図５は実施の形態１における操作盤装置の保守点検時の様子を示す斜視図、図６は実施の形態１における操作盤装置の動作を示す平面軌跡図である。
図において、１はかごの室壁、２はかごの戸、３はかごの戸２の両側に設けられた袖壁で、かごの室壁１と直交してかご室の前部コーナー１ａを形成する。３ａは袖壁３に形成された長方形の開口穴、４は袖壁３とかごの戸２の隙間を塞ぐ出入口柱、５は袖壁３の開口穴３ａに設けられた操作盤装置、５ａは操作盤装置５の外殻である長方体のケース、５ｂは操作盤装置５のケース５ａの正面側を形成する表板で、上下左右の縁がケース５ａ両側板及び上下板から突出している。通常時、操作盤装置５のケース５ａは開口穴３ａに嵌め込まれ、表板５ｂの裏面が袖壁３表面と当接して開口穴３ａを塞いでいる。また表板５ｂの表面にはエレベータの階床表示や操作ボタン等からなるエレベータの操作手段が設けられている。
５ｃは表板５ｂの裏側に設けられ、ケース５ａ内に収められた操作盤内蔵機器、５ｄはケース５ａの裏板及び左側板の裏板側一部を一体的に形成した断面Ｌ字状の裏蓋、５ｅは裏蓋５ｄとケース５ａの右側板とを連結する複数の蝶番６からなる開閉機構で、裏蓋５ｄを開閉可能としている。また裏蓋５ｄにはロックがかけられるようになっている。６はケース５ａ上板及び下板のそれぞれ右端に設けられた軸受穴で、後述するリンク機構と係合する。７は操作盤装置５に設けられた上下一対のリンク機構からなる引出し回動手段で、ケース５ａを支持し開口穴３ａから引出してかご室の前部コーナー１ａから離れた位置に移動させることができる。さらにケース５ａを回動させて角度を変化させることができる。
【０００９】
以下リンク機構７の詳細について説明する。また一例としてかごの戸２に向かって右側の袖壁３に操作盤装置５が設けられた場合について説明する。
８は開口穴３ａの上下左端に設けられたＬ字型の上下一対の軸受金具で、垂直辺が袖壁３の裏面に当接し、水平辺８ａが開口穴３ａの上下縁に沿っている。８ｂは軸受金具８の水平辺８ａ設けられた上下方向の軸受穴、９は上下一対のリンク棒で、一端に設けられた第一軸受穴９ａが軸受金具８の軸受穴８ｂと一致し、これらをボルトナット１０からなる軸ピンが貫通している。これにより上下一対のリンク棒９は第一軸受穴９ａを中心に水平に回動可能に設けられている。また通常時は右を向いている。
９ｂは上下一対のリンク棒９の他端に設けられた第二軸受穴で、ケース５ａの軸受穴６とそれぞれ一致し、これらをボルトナット１０からなる軸ピンが貫通している。これにより、上下一対のリンク棒９と操作盤装置５のケース５ａは互いに水平方向に回動可能に連結している。また上下一対のリンク９はそれぞれ同じ回動動作をし、ケース５ａは上下一対のリンク棒９に支持されつつ第一軸受穴９ａ及び第二軸受穴９ｂを中心に水平に回動可能となる。
【００１０】
これらの構成による、操作盤装置の保守点検時における動作を説明する。まず袖壁３に嵌め込まれた操作盤装置５のケース５ａを開口穴３ａから引出してかご室内側に移動させる。このとき図３の矢印で示すように、上下一対のリンク棒９は第一軸受穴９ａを中心に、上方から見て右回りに回動する。次にケース５ａを上下一対のリンク棒９の第二軸受穴９ｂを中心に上方から見て左周りに回動させる。これによりケース５ａの裏面側がかご室内側を向く。次に図５の矢印で示すようにケース５ａの裏蓋５ｄを開ける。これにより作業者１１がケース５ａの正面側からボタン操作しつつ、他の作業者１２が検査機器１３を使用して前記ボタン操作に対する操作盤内蔵機器５ｃ動作のチェックを行うことができる。
【００１１】
上述のように構成された操作盤装置５によれば、ケース５ａが上下一対のリンク機構７で支持されているため、該ケース５ａを袖壁３から引出し回動させてかご室の前部コーナー１ａから離し保守点検作業のし易い角度にすることができる。さらにケース５ａ裏面側に裏蓋５ｄを設け開放できるようにしたため、複数の作業者が操作ボタンなどのある表板５ｂの表面と裏の操作盤内蔵機器５ｃを同時に点検作業ができるようになり保守点検作業の作業効率を向上させることができる。
【００１２】
実施の形態２
図７はこの発明の実施の形態２における操作盤装置が引出された様子を示す斜視図、図８は実施の形態２における操作盤装置のリンク機構の部品構成を示す斜視図、図９は実施の形態２における操作盤装置の保守点検時の様子を示す斜視図、図１０は実施の形態２における操作盤装置の動作を示す平面軌跡図である。図において実施の形態１相当部に同符号を符したので説明を省略する。
実施の形態１においてリンク機構７には上下一対のリンク棒９を設けたが、本実施の形態２においては上下一対のリンク棒９の軸受金具８側一端を縦柱２０で繋ぎコ字型に一体としたものである。このように上下一対のリンク棒９をコ字状に一体に構成することで操作盤装置５のケース５ａの垂直度を保つことができるので該ケース５ａの回動時の動きを安定化させることができ作業性をさらに良くすることができる。  
【００１３】
実施の形態３
図１１はこの発明の実施の形態３における操作盤装置が引出された様子を示す斜視図、図１２は実施の形態３における操作盤装置のリンク機構の部品詳細を詳細を示す斜視図、図１３は実施の形態３における操作盤装置の保守点検時の様子を示す斜視図、図１４は実施の形態３における操作盤装置の動作を示す平面軌跡図である。図において実施の形態１及び実施の形態２相当部に同符号を符したので説明を省略する。
本実施の形態３においては、上下一対のリンク機構７をそれぞれ少なくとも二段以上で構成し、複数のリンク棒をボルトナット１０からなる軸ピンにより連結して水平方向に回動自在に連結したものである。以下、リンク機構７を二段とした場合を例に説明する。
図において３０は上下一対のリンク棒９の第二軸受穴９ｂ側と操作盤装置５のケース５ａ上下とを連結した上下一対の第二リンク棒である。
第二リンク棒３０両端の連結構成を説明する。第二リンク棒３０の一端は上下に分割され、リンク棒９の第二軸受穴９ｂ側端部を挟み込んでいる。また第二リンク棒３０の前記上下分割部にはそれぞれ第三軸受穴３０ａが設けられている。この第三軸受穴３０ａとリンク棒９の第二軸受穴９ｂとが一致し、またこれらをボルトナット１０からなる軸ピンが貫通することでリンク棒９と第二リンク棒３０は互いに水平方向に回動可能に連結している。
また通常時、上下一対の第二リンク３０棒は左側を向き、他端に第四軸受穴３０ｂが設けられている。第四軸受穴３０ｂはケース５ａの軸受穴６と一致し、またこれらをボルトナット１０からなる軸ピンが貫通することで第二リンク棒３０とケース５ａは互いに水平方向に回動可能に連結されている。ここで実施の形態１及び２においてはケース５ａの軸受穴６は右端に設けられたが、本実施の形態３においては左端に設けられる。
これらの構成による操作盤装置５の動作は、ケース５ａが開口穴３ａから引出されるとき、上下一対のリンク棒９は上方から見て左回転をし、上下一対の第二リンク３０棒は右回転をする。
これにより、実施の形態１及び２の構成に比べて、操作盤装置５をかご室の前部コーナー１ａからさらに離れた位置に引出すことができる。また操作盤装置５の周囲により広い点検作業スペースを確保できるのでさらに作業性を良くすることができる。
【００１４】
実施の形態４
図１５はこの発明の実施の形態４における操作盤装置が引出された様子を示す斜視図、図１６は実施の形態４における操作盤装置のリンク機構の部品詳細を示す斜視図、図１７は実施の形態４における操作盤装置の動作を示す平面軌跡図である。図において実施の形態１〜実施の形態３相当部に同符号を符したので説明を省略する。
実施の形態２においては上下一対のリンク棒９をコ字型に一体とし、実施の形態３においては上下一対の第二リンク棒３０を設けたが、本実施の形態４においては上下一対の第二リンク３０の第三軸受穴３０ａ側の一端を縦柱４０で繋ぎコ字型に一体としたものである。このように上下一対の第二リンク棒３０を一体に構成することで操作盤装置５のケース５ａは垂直度を保つことができるので該ケース５ａの回動時の動きを安定化させることができ作業性をさらに良くすることができる。  
【００１５】
実施の形態５
図１８はこの発明の実施の形態５における操作盤装置に設けられたロック装置を示す斜視図、図１９は実施の形態５における操作盤装置に設けられたロック装置の要部を示す斜視図、図２０は実施の形態５における操作盤装置のロック装置の要部を示す平面図である。図において実施の形態１〜実施の形態４相当部に同符号を符したので説明を省略する。
本実施の形態５においては、操作盤装置５のケース５ａを袖壁３の開口穴３ａにロック及びロック解除をするロック装置５０を設けたものである。以下ロック装置５０の説明をする。
図において、５１はケース５ａに内側の上下左右四隅に設けられた咥え板、５１ａは上下左右の咥え板５１のそれぞれ手前（表板５ｂ側）外側に形成された突出部で、開口穴３ａ左右縁と対向している。５１ｂは突出部５１ａ頂部に形成された咥え溝で、開口穴３ａの左右縁を咥えている。５１ｃは突出部５１ａの奥側に形成された傾斜部で、突出を緩やかにしている。５２は上下左右の咥え板５１の上下を繋ぐ左右一対の連結軸、５２ａは該連結軸をそれぞれ枢持し、ケース５ａ左右側板に設けられた上下一列の複数の垂直軸受である。これにより上下左右の咥え板５１は上下が同時且つ同方向に水平回転可能である。５３は上下左右の咥え板５１の上同士左右を繋ぐ水平な連結棒で、左端は咥え板５１の連結軸５２に対して手前側、右端は咥え板５１の連結軸５２に対して奥側と繋がっている。これにより上下左右の咥え板５１は左右が同時且つ逆方向に水平回転し、全咥え溝５１ｂは同時に開口穴３ａの左右縁と離接する。５４は連結棒５３の中間部とケース５ａ上板とを結んで設けられた戻しばねで、連結棒５３を常時左方向に付勢している。
これにより通常時、上下左右の咥え板５１の手前側はそれぞれ外側に付勢され、全咥え溝５１ｂは開口穴３ａの左右縁を咥えてケース５ａを開口穴３aにロックしている。５５は左右一対の連結軸５２の左側の中間部に設けられ、通常時手前側に突出した回転板、５６は水平方向前後に延在するキー軸で、ケース５ａ左側板内側の中間部に設けられたキー軸受５６ａに枢持されている。５７はキー軸５６に奥端に上側に突出して設けられ、上端が回転板５５の左側に当接したレバー、５８はキー軸５６の手前端に設けられたキー装置で、キー穴５８ａがケース５ａの表板５ｂ外側に設けられ、該キー穴５８ａに適合するキー５８ｂを差込み回転させることによってキー軸５６を軸回転させる。
【００１６】
上述のように構成されたロック装置５０の動作を説明する。
ロックを解除するとき、まずケース５ａの外側からキー５８ｂをキー穴５８ａに差込み、約４５°右回転をさせる。同時にキー軸５６が軸回転してレバー５７は右側に倒れて回転板５５を押し、左側の連結軸５２は上方から見て左回転をする。また連結軸５２上下に設けられた左側上下の咥え板５１も同回転をする。また同時に連結棒５３及び連結軸５２で結ばれた右側上下の咥え板５１は上方から見て右回転をする。これにより同時に全咥え溝５１ｂが開口穴３ａから外れロックを解除する。この状態においてケース５ａは開口穴３ａから引出すことができる。
反対にケース５ａを開口穴３ａに収めるときは、上下左右の抑え板５１の手前側が戻しばね５４によって外側に押されているので、上下左右の咥え板５１の咥え溝５１ａがそれぞれ開口穴３ａに合うように操作盤装置５のケース５ａを開口穴３ａに対し平行に押付けることで、該上下左右の咥え板５１は咥え溝５１ｂ後ろの傾斜部５１ｃに案内されて手前側が内側に戻され、咥え溝５１ａが開口穴３ａの左右縁が嵌り込みロックできる。
【００１７】
上述のように構成されたロック機構５０においては、上下左右の咥え板５ａが操作盤装置５のケース５ａを四箇所で開口穴３ａにロックすることにより、薄く縦長なケース５ａを確実にロックすることができる。また従来のようにケース５ａの一箇所か二箇所で開口穴３ａにロックをかけるロック装置で問題となりうる、ロック箇所以外の所をいたずらなどでこじられるとケース５ａが外れてしまう惧がなくなる。
【００１８】
上記実施の形態１〜実施の形態５の説明では操作盤装置５の表板５ｂは開閉しなかったが、表板５ｂにロック機構と開閉機構を備え開閉できるようにすればさらに保守点検作業を向上させることができることは言うまでもない。
【図面の簡単な説明】
【００１９】
【図１】この発明の実施の形態1における操作盤装置を備えたエレベータのかご室内の要部を示す斜視図である。
【図２】実施の形態１における操作盤装置の周辺を示す斜視図である。
【図３】実施の形態１における操作盤装置が引出された様子を示す斜視図である。
【図４】実施の形態１における操作盤装置のリンク機構の部品構成を示す斜視図である。
【図５】実施の形態１における操作盤装置の保守点検時の様子を示す斜視図である。
【図６】実施の形態１における操作盤装置の動作を示す平面軌跡図である。
【図７】この発明の実施の形態２における操作盤装置が引出された様子を示す斜視図である。
【図８】実施の形態２における操作盤装置のリンク機構の部品構成を示す斜視図である。
【図９】実施の形態２における操作盤装置の保守点検時の様子を示す斜視図である。
【図１０】実施の形態２における操作盤装置の動作を示す平面軌跡図である。
【図１１】この発明の実施の形態３における操作盤装置が引出された様子を示す斜視図である。
【図１２】実施の形態３における操作盤装置のリンク機構の部品詳細を詳細を示す斜視図である。
【図１３】実施の形態３における操作盤装置の保守点検時の様子を示す斜視図である。
【図１４】実施の形態３における操作盤装置の動作を示す平面軌跡図である。
【図１５】この発明の実施の形態４における操作盤装置が引出された様子を示す斜視図である。
【図１６】実施の形態４における操作盤装置のリンク機構の部品詳細を示す斜視図である。
【図１７】実施の形態４における操作盤装置の動作を示す平面軌跡図である。
【図１８】この発明の実施の形態５における操作盤装置に設けられたロック装置を示す斜視図である。
【図１９】実施の形態５における操作盤装置に設けられたロック装置の要部を示す斜視図である。
【図２０】実施の形態５における操作盤装置のロック装置の要部を示す平面図である。
【符号の説明】
【００２０】
１  かご室壁、
２  かごの戸、
３  袖壁、
３ａ  開口穴、
４  出入口柱、
５  操作盤装置、
５ａ  ケース、
５ｂ  表板、
５ｃ  操作盤内蔵機器、
５ｄ  裏蓋、
５ｅ  蝶番、
６  軸受穴、
７  リンク機構、
８  軸受金具
８ａ  水平部、
８ｂ  軸受穴、
９  リンク棒、
９ａ  第一軸受穴、
９ｂ  第二軸受穴、
１０  ボルトナット、
１１、１２  作業者、
１３  検査機器、
２０、４０  縦枠、
３０  第二リンク棒、
３０ａ  第三軸受穴、
３０ｂ  第四軸受穴、
５０  ロック装置、
５１  咥え板、
５１ａ  突出部、
５１ｂ  咥え溝、
５１ｃ  傾斜部、
５２  連結軸、
５２ａ  垂直軸受、
５３  連結棒、
５４  戻しばね、
５５  回転板、
５６  キー軸、
５６ａ  キー軸受、
５７  レバー、
５８  キー装置、
５８ａ  キー穴、
５８ｂ  キー、
【図１】
2007284228.tif 000003
【図２】
2007284228.tif 000004
【図３】
2007284228.tif 000005
【図４】
2007284228.tif 000006
【図５】
2007284228.tif 000007
【図６】
2007284228.tif 000008
【図７】
2007284228.tif 000009
【図８】
2007284228.tif 000010
【図９】
2007284228.tif 000011
【図１０】
2007284228.tif 000012
【図１１】
2007284228.tif 000013
【図１２】
2007284228.tif 000014
【図１３】
2007284228.tif 000015
【図１４】
2007284228.tif 000016
【図１５】
2007284228.tif 000017
【図１６】
2007284228.tif 000018
【図１７】
2007284228.tif 000019
【図１８】
2007284228.tif 000020
【図１９】
2007284228.tif 000021
【図２０】
2007284228.tif 000022